(57)【要約】【課題】操作者の操作に応じて複数の表示装置の表示内容を連携して変更すると共に、各表示装置の軽量化を実現する。【解決手段】マスタ表示装置は、表示装置の各々に割り当てられた画面ＩＤと、各々の表示装置に表示する画像の画像データとの対応関係を記憶し、タッチセンサから出力された操作信号に基づいて操作者の操作内容を判別し、判別した操作内容に応じて上記対応関係を変更する。マスタ表示装置は、自装置の画面ＩＤと対応付けられた画像データに応じた画像を記憶性表示体に表示させ、また、スレーブ表示装置に電力を供給し、スレーブ表示装置の画面ＩＤと対応付けられた画像データを送信する。スレーブ表示装置は、マスタ表示装置から供給された電力を受け取り、その電力を用いて、自装置宛に送信されてきた画像データを受信し、その画像データに応じた画像を自装置の記憶性表示体に表示させる。【選択図】図１
2009211547.tif 000002
【特許請求の範囲】
【請求項１】
第１の表示装置と、複数の第２の表示装置とを備え、
前記第１の表示装置及び各々の前記第２の表示装置は、
複数の表示素子を有し、当該表示素子が駆動されて画像を表示するまでの期間においては電力が供給され、当該画像が表示された後は、電力が供給されなくても当該画像を表示し続ける表示手段と、
操作者による操作を検出し、当該操作に応じた操作信号を出力する操作検出手段とを備え、
前記第１の表示装置は、
前記第１の表示装置及び前記第２の表示装置の各々に割り当てられた識別情報と、各々の当該表示装置に表示する画像の画像データとの対応関係を記憶する記憶手段と、
自装置又は前記第２の表示装置の前記操作検出手段から出力された操作信号を取得し、取得した当該操作信号に基づいて前記操作者の操作内容を判別する操作内容判別手段と、
前記操作内容判別手段によって判別された操作内容に応じて、前記記憶手段に記憶されている対応関係を変更して前記記憶手段に記憶させる対応関係変更手段と、
自装置の前記表示手段の表示素子を駆動して、前記記憶手段により自装置の識別情報と対応付けられている画像データに応じた画像を当該表示手段に表示させる第１の表示制御手段と、
前記第２の表示装置に電力を供給するとともに、前記記憶手段により前記第２の表示装置の識別情報と対応付けられている画像データを当該第２の表示装置宛に送信する送信手段とを備え、
各々の前記第２の表示装置は、
前記第１の表示装置の前記送信手段から供給された電力を受け取り、受け取った当該電力を用いて、自装置宛に送信されてきた画像データを受信する受信手段と、
前記受信手段が受け取った電力を用いて自装置の前記表示手段の表示素子を駆動し、当該受信手段によって受信された画像データに応じた画像を当該表示手段に表示させる第２の表示制御手段とを備える
ことを特徴とする表示システム。
【請求項２】
前記第１の表示装置の前記対応関係変更手段は、
前記操作内容判別手段によって判別された操作内容が、一方の前記表示装置と他方の前記表示装置のそれぞれを交互または同時に指定する操作であった場合には、
前記対応関係の変更前に前記他方の表示装置の識別情報に対応付けられていた画像データと、前記一方の表示装置の識別情報とが対応するとともに、前記対応関係の変更前に前記一方の表示装置の識別情報に対応付けられていた画像データと、前記他方の表示装置の識別情報とが対応するように、前記対応関係を変更する
ことを特徴とする請求項１記載の表示システム。
【請求項３】
前記第１の表示装置及び前記複数の第２の表示装置は、隣り合うように直列に配列されており、
前記第１の表示装置の前記対応関係変更手段は、
前記操作内容判別手段によって判別された操作内容が、前記表示装置の前記表示手段上において指定した位置を、前記配列の方向と平行な方向成分を有する方向に移動させる操作であった場合には、
前記対応関係の変更前に各々の前記表示装置の識別情報に対応付けられていた画像データと、当該表示装置の隣に配列された前記表示装置の識別情報とが対応するように、前記対応関係を変更する
ことを特徴とする請求項１記載の表示システム。
【請求項４】
前記画像データは、予め表示順序が決められた複数の画像のうちのいずれかの画像を表すものであり、
前記第１の表示装置の前記対応関係変更手段は、
前記操作内容判別手段によって判別された操作内容が、前記表示装置の前記表示手段上において指定した位置を、前記配列の方向と平行な方向成分を有する方向に移動させる操作であった場合には、
前記対応関係の変更前に前記各々の前記表示装置の識別情報に対応付けられていた画像データと、当該表示装置の位置からみて前記指定した位置の移動方向にある隣の前記表示装置の識別情報とが対応するとともに、前記指定した位置の移動方向と逆の方向の端に配列されている前記表示装置の識別情報と、当該表示装置に表示されている画像の前又は後の表示順序の画像を表す画像データとが対応するように、前記対応関係を変更する
ことを特徴とする請求項３記載の表示システム。
【請求項５】
前記第１の表示装置は、
前記操作内容判別手段によって判別された操作内容が、前記表示装置の表示手段上において指定した位置を所定の方向に移動させる操作であった場合には、各々の前記表示装置の識別情報に対応付けられて前記記憶手段に記憶された画像データが表す画像を集めて、いずれか１つの前記表示装置の前記表示手段が表示し得る集約画像を表す集約画像データを作成する集約画像データ作成手段を備え、
前記第１の表示装置の前記対応関係変更手段は、
前記集約画像データ作成手段によって作成された集約画像データと、前記操作が行われた表示手段を有する前記表示装置の識別情報とが対応するよう、前記対応関係を変更する
ことを特徴とする請求項１記載の表示システム。
【請求項６】
前記第１の表示装置の前記対応関係変更手段は、
前記集約画像データ作成手段によって作成された集約画像データと、前記操作が行われた表示手段を有する前記表示装置の識別情報とが対応するよう、前記対応関係を変更するとともに、前記集約画像データが表す集約画像に含まれる各画像を表す画像データと、前記操作が行われたときに当該画像データが表す画像を表示していた前記表示装置の識別情報とを対応付けて前記記憶手段に記憶させ、
いずれか１つの前記表示装置に前記集約画像が表示されているときに、前記操作内容判別手段によって判別された操作内容が、前記表示装置の前記表示手段上において指定した位置を所定の方向に移動させる操作であった場合には、前記記憶手段に記憶されている前記集約画像データと当該集約画像データに対応付けられた前記識別情報とを削除する
ことを特徴とする請求項５記載の表示システム。
【請求項７】
複数の表示素子を有し、当該表示素子が駆動されて画像を表示するまでの期間においては電力が供給され、当該画像が表示された後は、電力が供給されなくても当該画像を表示し続ける表示手段と、
操作者による操作を検出し、当該操作に応じた操作信号を出力する操作検出手段と、
自装置及び自装置以外の他の表示装置の各々に割り当てられた識別情報と、各々の当該表示装置に表示する画像の画像データとの対応関係を記憶する記憶手段と、
自装置又は前記他の表示装置の操作検出手段から出力された操作信号を取得し、取得した当該操作信号に基づいて前記操作者の操作内容を判別する操作内容判別手段と、
前記操作内容判別手段によって判別された操作内容に応じて、前記記憶手段に記憶されている対応関係を変更して前記記憶手段に記憶させる対応関係変更手段と、
前記表示手段の表示素子を駆動して、前記記憶手段により自装置の識別情報と対応付けられている画像データに応じた画像を当該表示手段に表示させる表示制御手段と、
前記他の表示装置に電力を供給するとともに、前記記憶手段により前記他の表示装置の識別情報と対応付けられている画像データを当該他の表示装置宛に送信する送信手段と
を備えることを特徴とする表示装置。
【請求項８】
複数の表示素子を有し、当該表示素子が駆動されて画像を表示するまでの期間においては電力が供給され、当該画像が表示された後は、電力が供給されなくても当該画像を表示し続ける表示手段と、操作者による操作を検出し、当該操作に応じた操作信号を出力する操作検出手段とを有する表示装置のコンピュータを、
自装置及び自装置以外の他の表示装置の各々に割り当てられた識別情報と、各々の当該表示装置に表示する画像の画像データとの対応関係を記憶する記憶手段と、
自装置又は前記他の表示装置の操作検出手段から出力された操作信号を取得し、取得した当該操作信号に基づいて前記操作者の操作内容を判別する操作内容判別手段と、
前記操作内容判別手段によって判別された操作内容に応じて、前記記憶手段に記憶されている対応関係を変更して前記記憶手段に記憶させる対応関係変更手段と、
前記表示手段の表示素子を駆動して、前記記憶手段により自装置の識別情報と対応付けられている画像データに応じた画像を当該表示手段に表示させる表示制御手段と、
前記他の表示装置に電力を供給するとともに、前記記憶手段により前記他の表示装置の識別情報と対応付けられている画像データを当該他の表示装置宛に送信する送信手段と
して機能させるためのプログラム。
【発明の詳細な説明】
【技術分野】
【０００１】
本発明は、複数の表示装置に画像を表示させる技術に関する。
【背景技術】
【０００２】
電子ペーパと呼ばれる複数の表示装置を連結させて、複数の画面を同時に表示する技術が知られている。例えば、特許文献１には、見開き可能に連結された２つの画面を用いて、目次を表すページと、選択されたページとを表示する技術が提案されている。また、特許文献２には、本を模した形状になるように複数の表示装置を連結して使用する技術が提案されている。
【特許文献１】特開２００１−１０１２０２号公報
【特許文献２】特開２００２−２２１９１８号公報
【発明の開示】
【発明が解決しようとする課題】
【０００３】
ところで、上記特許文献１、２に記載された技術では、操作者は同時に２つの画面しか見ることができないが、さらに多くの画面を同時に見たい場合がある。
また、このような場合、操作者の簡単な操作に応じて、一方の表示装置の画面と他方の表示装置の画面とが入れ替えられたり、複数ページで構成される一連の画面のページ送りが連携して行われたりすると便利である。ただし、複数の表示装置のうちの特定の表示装置においてのみ上記のような操作を可能にしただけでは、操作者が閲覧している表示装置と操作者が操作を行う表示装置とが異なる場合が生じてしまい、不便である。よって、どの表示装置においても操作機能を実装することがのぞましい。その一方で、各々の表示装置に多くの機能を等しく実装すると、これら表示装置群の全体が重くなり可搬性が悪くなるから、表示装置乃至これら表示装置群の軽量化にも努める必要がある。
本発明は、操作者の操作に応じて複数の表示装置の表示内容を連携して変更すると共に、各表示装置の軽量化を実現することを目的とする。
【課題を解決するための手段】
【０００４】
本発明は、第１の表示装置と、複数の第２の表示装置とを備え、前記第１の表示装置及び各々の前記第２の表示装置は、複数の表示素子を有し、当該表示素子が駆動されて画像を表示するまでの期間においては電力が供給され、当該画像が表示された後は、電力が供給されなくても当該画像を表示し続ける表示手段と、操作者による操作を検出し、当該操作に応じた操作信号を出力する操作検出手段とを備え、前記第１の表示装置は、前記第１の表示装置及び前記第２の表示装置の各々に割り当てられた識別情報と、各々の当該表示装置に表示する画像の画像データとの対応関係を記憶する記憶手段と、自装置又は前記第２の表示装置の前記操作検出手段から出力された操作信号を取得し、取得した当該操作信号に基づいて前記操作者の操作内容を判別する操作内容判別手段と、前記操作内容判別手段によって判別された操作内容に応じて、前記記憶手段に記憶されている対応関係を変更して前記記憶手段に記憶させる対応関係変更手段と、自装置の前記表示手段の表示素子を駆動して、前記記憶手段により自装置の識別情報と対応付けられている画像データに応じた画像を当該表示手段に表示させる第１の表示制御手段と、前記第２の表示装置に電力を供給するとともに、前記記憶手段により前記第２の表示装置の識別情報と対応付けられている画像データを当該第２の表示装置宛に送信する送信手段とを備え、各々の前記第２の表示装置は、前記第１の表示装置の前記送信手段から供給された電力を受け取り、受け取った当該電力を用いて、自装置宛に送信されてきた画像データを受信する受信手段と、前記受信手段が受け取った電力を用いて自装置の前記表示手段の表示素子を駆動し、当該受信手段によって受信された画像データに応じた画像を当該表示手段に表示させる第２の表示制御手段とを備えることを特徴とする表示システムを提供する。これにより、操作者の操作に応じて複数の表示装置の表示内容を連携して変更すると共に、各表示装置の軽量化を実現することができる。
【０００５】
また、本発明は、複数の表示素子を有し、当該表示素子が駆動されて画像を表示するまでの期間においては電力が供給され、当該画像が表示された後は、電力が供給されなくても当該画像を表示し続ける表示手段と、操作者による操作を検出し、当該操作に応じた操作信号を出力する操作検出手段と、自装置及び自装置以外の他の表示装置の各々に割り当てられた識別情報と、各々の当該表示装置に表示する画像の画像データとの対応関係を記憶する記憶手段と、自装置又は前記他の表示装置の操作検出手段から出力された操作信号を取得し、取得した当該操作信号に基づいて前記操作者の操作内容を判別する操作内容判別手段と、前記操作内容判別手段によって判別された操作内容に応じて、前記記憶手段に記憶されている対応関係を変更して前記記憶手段に記憶させる対応関係変更手段と、前記表示手段の表示素子を駆動して、前記記憶手段により自装置の識別情報と対応付けられている画像データに応じた画像を当該表示手段に表示させる表示制御手段と、前記他の表示装置に電力を供給するとともに、前記記憶手段により前記他の表示装置の識別情報と対応付けられている画像データを当該他の表示装置宛に送信する送信手段とを備えることを特徴とする表示装置を提供する。これにより、操作者の操作に応じて複数の表示装置の表示内容を連携して変更すると共に、各表示装置の軽量化を実現することができる。
【０００６】
さらに、本発明は、複数の表示素子を有し、当該表示素子が駆動されて画像を表示するまでの期間においては電力が供給され、当該画像が表示された後は、電力が供給されなくても当該画像を表示し続ける表示手段と、操作者による操作を検出し、当該操作に応じた操作信号を出力する操作検出手段とを有する表示装置のコンピュータを、自装置及び自装置以外の他の表示装置の各々に割り当てられた識別情報と、各々の当該表示装置に表示する画像の画像データとの対応関係を記憶する記憶手段と、自装置又は前記他の表示装置の操作検出手段から出力された操作信号を取得し、取得した当該操作信号に基づいて前記操作者の操作内容を判別する操作内容判別手段と、前記操作内容判別手段によって判別された操作内容に応じて、前記記憶手段に記憶されている対応関係を変更して前記記憶手段に記憶させる対応関係変更手段と、前記表示手段の表示素子を駆動して、前記記憶手段により自装置の識別情報と対応付けられている画像データに応じた画像を当該表示手段に表示させる表示制御手段と、前記他の表示装置に電力を供給するとともに、前記記憶手段により前記他の表示装置の識別情報と対応付けられている画像データを当該他の表示装置宛に送信する送信手段として機能させるためのプログラムを提供する。これにより、操作者の操作に応じて複数の表示装置の表示内容を連携して変更すると共に、各表示装置の軽量化を実現することができる。
【発明を実施するための最良の形態】
【０００７】
［構成］
（表示システムの構成）
図１は、本実施形態に係る表示システム１の外観を示す斜視図である。この表示システム１は、複数の表示装置によって構成されている。本実施形態において、表示システム１は、第１の表示装置である１台のマスタ表示装置１０と、第２の表示装置である２台のスレーブ表示装置２０Ａ、２０Ｂとを備えている。なお、以下の説明においてスレーブ表示装置２０Ａ、２０Ｂを特に区別する必要がない場合には、これらを総称して「スレーブ表示装置２０」という。
【０００８】
図２は、図１に示した表示システム１を図１中の矢印Ｉ方向から見たときの側面図である。同図に示すように、マスタ表示装置１０の裏面側には、紙面に垂直な方向に延びる直線状のレールｄ１が２列設けられており、スレーブ表示装置２０Ａの表面側には、紙面に垂直な方向に延びる直線状のレールｄ１’が２列設けられている。これらのレールｄ１とレールｄ１’が互いに噛み合うことで、マスタ表示装置１０とスレーブ表示装置２０Ａとが連結される。スレーブ表示装置２０Ａは、マスタ表示装置１０のレールｄ１の長手方向に沿ってスライドさせられることにより、図１中の矢印Ｒ方向および矢印Ｌ方向に移動することができる。同様に、スレーブ表示装置２０Ａの裏面側には、紙面に垂直な方向に延びる直線状のレールｄ２が２列設けられており、スレーブ表示装置２０Ｂの表面側には、紙面に垂直な方向に延びる直線状のレールｄ２’が２列設けられている。スレーブ表示装置２０Ｂは、スレーブ表示装置２０Ａのレールｄ２の長手方向に沿って図１中の矢印Ｒ方向および矢印Ｌ方向に移動することができる。なお、スレーブ表示装置２０Ａは、マスタ表示装置１０に対して直接的に連結されているから、この連結の仕方を「直接連結」という。一方、スレーブ表示装置２０Ｂは、マスタ表示装置１０に対してスレーブ表示装置２０Ａを介して間接的に連結されているから、この連結の仕方を「間接連結」という。
【０００９】
図３は、スレーブ表示装置２０が開閉する様子を示す平面図である。スレーブ表示装置２０を使用しない場合、操作者は、図１に示すように、各々のスレーブ表示装置２０をマスタ表示装置１０の下方に移動させる。このとき、各々のスレーブ表示装置２０は、マスタ表示装置１０と重なる状態となるため、図３（ａ）に示す位置Ｐ０に配置される。このようにスレーブ表示装置２０が閉じられると、表示システム１全体がコンパクトな形状になり、狭いスペースでの使用や持ち運びが容易になる。
【００１０】
一方、スレーブ表示装置２０Ａおよび２０Ｂを使用する場合、操作者は、画像が表示される表示面が見えるように各々のスレーブ表示装置２０を引き出す。例えば、操作者によって図中の矢印Ｒ方向に引き出された場合、スレーブ表示装置２０Ａは、図３（ｂ）に示すように、マスタ表示装置１０の下方の位置Ｐ０からマスタ表示装置１０の隣の位置Ｐ１へと移動する。同様に、スレーブ表示装置２０Ｂは、位置Ｐ０からスレーブ表示装置２０Ａの隣の位置Ｐ２へと移動する。また、操作者によって矢印Ｌ方向に引き出された場合、スレーブ表示装置２０Ａは、図３（ｃ）に示すように、マスタ表示装置１０の下方の位置Ｐ０からマスタ表示装置１０の隣の位置Ｐ３へと移動する。同様に、スレーブ表示装置２０Ｂは、位置Ｐ０からスレーブ表示装置２０Ａの隣の位置Ｐ４へと移動する。図３（ｂ）および図３（ｃ）に示すように、スレーブ表示装置２０Ａ、２０Ｂが開いた状態になった場合、マスタ表示装置１０及びスレーブ表示装置２０Ａ、２０Ｂは、隣り合うように直列に配列される。
【００１１】
このように、各表示装置に設けられたレールｄ１〜ｄ２，ｄ１’〜ｄ２’は、一方の表示装置の表示面と他方の表示装置の表示面とが重なる第１の位置（位置Ｐ０）と、一方の表示装置の表示面と他方の表示装置の表示面とが重ならない第２の位置（位置Ｐ１〜Ｐ４）との間を、一方の表示装置又は他方の表示装置が移動可能な状態で、これらを連結する連結手段として機能する。さらに、これらレールｄ１〜ｄ２，ｄ１’〜ｄ２’は、各々のスレーブ表示装置２０が、第１の位置（位置Ｐ０）とマスタ表示装置１０から見て第１の方向（矢印Ｒ方向）にある第２の位置（位置Ｐ１，Ｐ２）との間、及び、第１の位置（位置Ｐ０）とマスタ表示装置１０から見て第１の方向（矢印Ｒ方向）と反対の第２の方向（矢印Ｌ方向）にある第２の位置（位置Ｐ３，Ｐ４）との間で移動可能な状態で、各表示装置を連結する。
【００１２】
（マスタ表示装置の構成）
次に、マスタ表示装置１０の構成について説明する。
図４は、マスタ表示装置１０の外観を示す平面図であり、図５は、マスタ表示装置１０の電気的構成を示すブロック図である。マスタ表示装置１０は、記憶性表示体１１と、タッチパネル１１ｔと、送信アンテナ部１２ａ、１２ｂと、受信アンテナ部１３ａ、１３ｂと、電源１４と、ＣＰＵ（Central Processing Unit）１５と、ＲＯＭ（Read Only Memory）１６と、ＲＡＭ（Random Access Memory）１７と、制御回路１８と、駆動回路１９とを備えている。なお、以下の説明において送信アンテナ部１２ａ、１２ｂを特に区別する必要がない場合には、これらを総称して「送信アンテナ部１２」という。同様に、受信アンテナ部１３ａ、１３ｂを特に区別する必要がない場合には、これらを総称して「受信アンテナ部１３」という。
【００１３】
記憶性表示体１１は、コレステリック液晶や電気泳動などの複数の表示素子を有しており、これらの表示素子が供給される画像データに応じて駆動されることで、画像データに応じた画像を表示する表示手段である。この記憶性表示体１１においては、表示素子が駆動されて画像を表示するまでの駆動期間においては電力が必要であるが、その駆動期間が経過して画像が表示された後は、電力が供給されなくてもその画像を表示し続けることができる。タッチパネル１１ｔは、記憶性表示体１１の表面に設けられた透明なパネルであり、所定の微小領域毎に物体の接触の有無を感知し、物体の接触を表す接触信号を微小領域毎に出力する。この微小領域は、記憶性表示体１１における所定数の画素（例えば、１×１画素や３×３画素）にそれぞれ対応付けられている。
【００１４】
送信アンテナ部１２は、図４中に点線で示しているように、導線が巻き回されてコイル状に形成されたものであり、電磁誘導によって電力を供給するとともに無線でデータを送信する。この送信アンテナ部１２は、マスタ表示装置１０の内部の裏面側に近い位置に設けられている。送信アンテナ部１２ａは、マスタ表示装置１０において図４中の左上に配置されており、送信アンテナ部１２ｂは、図４中の右下に配置されている。すなわち、送信アンテナ部１２ａと送信アンテナ部１２ｂとは、互いに対角線上に配置されている。また、送信アンテナ部１２は、スレーブ表示装置２０が移動可能な方向に沿って延びており、その長手方向の長さは、マスタ表示装置１０の幅方向（スレーブ表示装置２０の移動方向）の長さの約半分になっている。この送信アンテナ部１２とＣＰＵ１５乃至制御回路１８が、マスタ表示装置１０に連結されたスレーブ表示装置２０に対し、電磁誘導によって電力を供給するとともに無線で画像データを送信する送信手段として機能する。
【００１５】
受信アンテナ部１３は、図４中に点線で示しているように、導線が巻き回されてコイル状に形成されたものであり、電磁誘導によって電力の供給を受けるとともに、無線で送信されてきたデータをその電力を用いて受信する。この受信アンテナ部１３は、マスタ表示装置１０の内部の表面側に近い位置に設けられている。受信アンテナ部１３ａは、マスタ表示装置１０において図４中の右上に配置されており、受信アンテナ部１３ｂは、図４中の左下に配置されている。すなわち、受信アンテナ部１３ａと受信アンテナ部１３ｂとは、互いに対角線上に配置されている。電源１４は、電池などを有し、マスタ表示装置１０及びスレーブ表示装置２０の各部に電力を供給する電力供給手段である。ＣＰＵ１５は、ＲＯＭ１６に記憶されているプログラムなどをＲＡＭ１７に読み出し、このプログラムに従って各種の処理を実行する。ＲＯＭ１６は、ＣＰＵ１５によって用いられるプログラムや各種データを記憶する。ＲＡＭ１７は、ＣＰＵ１５のワークエリアとして使用される記憶手段である。
【００１６】
制御回路１８は、駆動制御回路３１と、タッチセンサ３２と、Ａ／Ｄコンバータ３３とを備えている。駆動制御回路３１は、電源の制御や、画像データやコマンドなどの各種データの授受の制御などを行う。また、駆動制御回路３１には、記憶性表示体１１に割り当てられた画面ＩＤなどが記憶されるＲＡＭ３５が設けられている。この実施形態では、ＲＡＭ３５には、記憶性表示体１１に割り当てられた画面ＩＤとして「０１」が記憶されているものとする。この画面ＩＤ「０１」は、マスタ表示装置１０に割り当てられた識別情報として利用される。タッチセンサ３２は、タッチパネル１１ｔから出力された接触信号に基づいてタッチパネル１１ｔが接触された位置を検出し、検出した位置を表す操作信号を出力する。このタッチセンサ３２は、記憶性表示体１１の表示領域の左上隅点を原点０としたｘｙ座標系に従って、接触された位置の検出を行う。すなわち、タッチパネル１１ｔとタッチセンサ３２とが、操作者による操作を検出し、その操作に応じた操作信号を出力する操作検出手段として機能する。Ａ／Ｄコンバータ３３は、タッチセンサ３２から出力された操作信号をアナログデジタル変換して駆動制御回路３１に供給する。駆動回路１９は、電源１４から供給される電力を用いて記憶性表示体１１の表示素子を駆動して、駆動制御回路３１から供給される画像データに応じた画像を記憶性表示体１１に表示させる第１の表示制御手段である。
【００１７】
（スレーブ表示装置の構成）
次に、スレーブ表示装置２０の構成について説明する。なお、以下の説明において、スレーブ表示装置２０Ａ、２０Ｂの構成を区別する必要がある場合には、スレーブ表示装置２０Ａの構成については「Ａ」という符号を付して説明し、スレーブ表示装置２０Ｂの構成については「Ｂ」という符号を付して説明する。また、スレーブ表示装置２０Ａ、２０Ｂの構成を特に区別する必要がない場合には、「Ａ」、「Ｂ」という符号の記載を省略する。
【００１８】
図６は、スレーブ表示装置２０の外観を示す平面図であり、図７は、スレーブ表示装置２０の電気的構成を示すブロック図である。スレーブ表示装置２０は、記憶性表示体２１と、タッチパネル２１ｔと、送信アンテナ部２２ａ、２２ｂと、受信アンテナ部２３ａ、２３ｂと、制御回路２４と、駆動回路２５とを備えている。なお、以下の説明において送信アンテナ部２２ａ、２２ｂを特に区別する必要がない場合には、これらを総称して「送信アンテナ部２２」という。同様に、受信アンテナ部２３ａ、２３ｂを特に区別する必要がない場合には、これらを総称して「受信アンテナ部２３」という。
【００１９】
この記憶性表示体２１と、タッチパネル２１ｔと、送信アンテナ部２２と、受信アンテナ部２３と、制御回路２４と、駆動回路２５の構成はそれぞれ、上述したマスタ表示装置１０の記憶性表示体１１、送信アンテナ部１２、受信アンテナ部１３、制御回路１８、駆動回路１９と同様である。すなわち、制御回路２４は、上述したマスタ表示装置１０の制御回路１８と同様に、駆動制御回路４１と、タッチセンサ４２と、Ａ／Ｄコンバータ４３とを備えている。したがって、受信アンテナ部２３と制御回路２４とが、マスタ表示装置１０の送信アンテナ部１２から電磁誘導によって供給された電力を受け取り、受け取った電力を用いて、自装置宛に送信されてきた画像データを受信する受信手段として機能する。また、駆動回路２５は、受信アンテナ部２３が受け取った電力を用いて自装置の記憶性表示体２１を駆動し、その受信アンテナ部２３によって受信された画像データに応じた画像を記憶性表示体２１に表示させる第２の表示制御手段である。
【００２０】
また、駆動制御回路４１には、記憶性表示体２１に割り当てられた画面ＩＤなどが記憶されるＲＡＭ４５が設けられている。この実施形態では、スレーブ表示装置２０ＡのＲＡＭ４５Ａには、記憶性表示体２１Ａに割り当てられた識別情報である画面ＩＤとして「０２」が記憶されており、スレーブ表示装置２０ＢのＲＡＭ４５Ｂには、記憶性表示体２１Ｂに割り当てられた識別情報である画面ＩＤとして「０３」が記憶されているものとする。これらの画面ＩＤ「０２」、「０３」はそれぞれ、スレーブ表示装置２０Ａ、２０Ｂに割り当てられた識別情報として利用される。
【００２１】
次に、マスタ表示装置１０のＲＯＭ１６に記憶されているデータの内容について説明する。このＲＯＭ１６には、記憶性表示体１１、２１の各々に割り当てられた画面ＩＤと、予め表示順序が決められた複数の画像を表す各々の画像データと、画面移動処理特定テーブルとが記憶されている。上述したように、この実施形態では、記憶性表示体１１、２１Ａ、２１Ｂには、それぞれ「０１」、「０２」、「０３」という画面ＩＤが割り当てられている。したがって、ＲＯＭ１６には、記憶性表示体１１の画面ＩＤとして「０１」が記憶されており、記憶性表示体２１Ａの画面ＩＤとして「０２」が記憶されており、記憶性表示体２１Ｂの画面ＩＤとして「０３」が記憶されている。
【００２２】
次に、画面移動処理特定テーブルについて説明する。
図８は、画面移動処理特定テーブルＴの一例を示す図である。画面移動処理特定テーブルＴは、操作者の「操作内容」と「画面移動処理」との対応関係を示している。「操作内容」は、操作者によって行われた操作の内容を示す情報である。例えば、図中の「２回タップ」は、一方の記憶性表示体と他方の記憶性表示体のそれぞれを交互または同時に指定する操作を表している。また、図中の「右方向になぞる」は、いずれかの記憶性表示体上において指定した位置を、表示装置の配列方向と平行な方向成分を有する図３中のＲ方向に移動させる操作を表している。同様に、図中の「左方向になぞる」は、いずれかの記憶性表示体上において指定した位置を、表示装置の配列方向と平行な方向成分を有する図３中のＬ方向に移動させる操作を表している。また、図中の「時計回りに円を描く」は、いずれかの記憶性表示体上において指定した位置を、時計回りの方向に円を描くように移動させる操作を表している。同様に、図中の「反時計回りに円を描く」は、いずれかの記憶性表示体上において指定した位置を、反時計回りの方向に円を描くように移動させる操作を表している。この例では、「２回タップ」の操作が行われると、「画面入れ替え処理」が行われるようになっている。また、「右方向になぞる」操作が行われると、「右方向の画面移動処理」が行われ、「左方向になぞる」操作が行われると、「左方向の画面移動処理」が行われるようになっている。同様に、「時計回りに円を描く」操作が行われると、「集約画像の表示処理」が行われ、「反時計回りに円を描く」操作が行われると、「集約画像の分散表示処理」が行われるようになっている。
【００２３】
［動作］
次に、表示システム１の動作について説明する。ここでは、まずスレーブ表示装置２０に画像を表示させる表示処理について説明し、その後、表示装置の画面を移動させる画面移動処理について説明する。
（表示処理）
上述したように、スレーブ表示装置２０Ａおよび２０Ｂを使用したい場合、操作者は、各々のスレーブ表示装置２０を図３中の矢印Ｒ方向又は矢印Ｌ方向のいずれかの方向に引き出して、スレーブ表示装置２０を開いた状態にする。スレーブ表示装置２０が開かれた状態とは、各スレーブ表示装置２０の表示面が他の表示装置の表示面と重ならない位置、つまり前述した第２の位置へとスレーブ表示装置２０が移動させられた場合のことである。
【００２４】
図９は、スレーブ表示装置２０Ａ、２０Ｂが図３中の矢印Ｒ方向に引き出された様子を示す平面図である。また、図１０は、図９に示した表示システム１を図中の矢印II方向から見たときの側面図である。操作者によって図３中の矢印Ｒ方向に引き出されると、図１０に示すように、マスタ表示装置１０の送信アンテナ部１２ｂとスレーブ表示装置２０Ａの受信アンテナ部２３ｂＡとが重なった状態になり、さらにスレーブ表示装置２０Ａの送信アンテナ部２２ｂＡとスレーブ表示装置２０Ｂの受信アンテナ部２３ｂＢとが重なった状態になる。これにより、マスタ表示装置１０とスレーブ表示装置２０Ａ、スレーブ表示装置２０Ａとスレーブ表示装置２０Ｂとが電気的に接続された状態になるため、マスタ表示装置１０からスレーブ表示装置２０Ａ、スレーブ表示装置２０Ａからスレーブ表示装置２０Ｂへと電力が順に供給されていく。スレーブ表示装置２０の各部、すなわち記憶性表示体２１、送信アンテナ部２２、受信アンテナ部２３、制御回路２４及び駆動回路２５は、マスタ表示装置１０の送信アンテナ部１２から自装置の受信アンテナ部２３に供給された電力を用いて以下の処理を行う。
【００２５】
図１１は、表示処理を示すシーケンス図である。まず、マスタ表示装置１０のＣＰＵ１５は、ＲＯＭ１６に記憶されている画像データのうち、記憶性表示体１１、２１に表示させる画像の画像データを読み出して、ＲＡＭ１７に記憶させる（ステップＳＡ１０）。ここでは、１ページ目〜３ページ目の画像を表す画像データがそれぞれ読み出され、ＲＡＭ１７に記憶された場合を想定する。
【００２６】
図１２は、画像データが記憶されるＲＡＭ１７の記憶領域を模式的に示す図である。図の例では、１ページ目の画像データが先頭アドレス「０ｘＸＸＸＸ  ａａａａ」から記憶されており、２ページ目の画像データが先頭アドレス「０ｘＸＸＸＸ  ｂｂｂｂ」から記憶されており、３ページ目の画像データが先頭アドレス「０ｘＸＸＸＸ  ｃｃｃｃ」から記憶されている。また、ＣＰＵ１５は、ＲＡＭ１７に読み出した各々の画像データについて画面管理情報を作成し、作成した画面管理情報をＲＡＭ１７に記憶させる。
【００２７】
図１３は、画面管理情報のデータ構造を示す図である。図中の「ｉｎｔ  ＩＤ；」には、画像データが表す画像を表示する記憶性表示体１１、２１に割り当てられた画面ＩＤが記述される。また、図中の「ｉｎｔ*  ＰｉｃＤａｔａ；」には、画像データが記憶されているＲＡＭ１７の記憶領域の先頭アドレスが記述され、「ｕｎｓｉｎｇｎｅｄ  ｉｎｔ  ＤａｔａＳｉｚｅ；」には、画像データのデータサイズが記述される。そして、図中の「ｉｎｔ  Ｓｔａｔｕｓ；」には、各種のステータスフラグが記述される。この場合には、１ページ目〜３ページ目の各画像データについて、この画面管理情報が作成される。
【００２８】
続いて、ＣＰＵ１５は、ＲＡＭ１７に記憶されている画像データを読み出して、対応する表示装置宛に送信する（ステップＳＡ２０）。この画像データの送信は、表示画像を決定するための予め決められた方法に従って行われる。
図１４は、表示画像を決定する方法を模式的に示す図である。図中の並び列Ｌ１は、ページ順序に沿った画像データの論理的な並び順を表している。また、図中の並び列Ｌ２は、表示装置の配置の順序を表している。この例では、ＲＡＭ１７には、１ページ目〜３ページ目の各画像データが記憶されている。この場合、最初のページである１ページ目の画像データは、画面ＩＤ「０３」が割り当てられたスレーブ表示装置２０Ｂ宛に送信される。その次のページである２ページ目の画像データは、画面ＩＤ「０２」が割り当てられたスレーブ表示装置２０Ａ宛に送信される。そして、その次のページである３ページ目の画像データは、画面ＩＤ「０１」が割り当てられたマスタ表示装置１０の記憶性表示体１１に供給される。
【００２９】
具体的に説明すると、ＣＰＵ１５は、ＲＯＭ１６に記憶されている画面ＩＤを読み出して、記憶性表示体２１Ｂの画面ＩＤ「０３」と１ページ目の画像データ、記憶性表示体２１Ａの画面ＩＤ「０２」と２ページ目の画像データ、記憶性表示体１１の画面ＩＤ「０１」と３ページ目の画像データとをそれぞれ対応付けて、駆動制御回路３１に供給する。駆動制御回路３１は、供給された画像データの中から、ＲＡＭ３５に記憶されている画面ＩＤに対応付けられた画像データを選択して取得するとともに、それ以外の画像データを送信アンテナ部１２から送信させる。この例では、ＲＡＭ３５には画面ＩＤとして「０１」が記憶されているため、この画面ＩＤ「０１」と対応付けられた３ページ目の画像データが駆動制御回路３１によって取得され、それ以外の２ページ目の画像データと３ページ目の画像データとが送信アンテナ部１２から送信される。
【００３０】
マスタ表示装置１０の送信アンテナ部１２ｂから画像データが送信されると、スレーブ表示装置２０Ａの受信アンテナ部２３ｂＡは、この画像データを受信して、駆動制御回路４１Ａに供給する。駆動制御回路４１Ａは、上述した駆動制御回路３１と同様に、供給された画像データの中からＲＡＭ４５Ａに記憶されている画面ＩＤに対応付けられた画像データを選択して取得するとともに、それ以外の画像データを送信アンテナ部２２Ａから送信させる。この例では、ＲＡＭ４１Ａには画面ＩＤとして「０２」が記憶されているため、この画面ＩＤ「０２」と対応付けられた２ページ目の画像データが取得され、それ以外の１ページ目の画像データが送信アンテナ部２２Ａから送信される。
【００３１】
スレーブ表示装置２０Ａの送信アンテナ部２２ｂＡから画像データが送信されると、スレーブ表示装置２０Ｂの受信アンテナ部２３ｂＢは、この画像データを受信して、駆動制御回路４１Ｂに供給する。駆動制御回路４１Ｂは、上述した駆動制御回路３１と同様に、供給された画像データの中からＲＡＭ４５Ｂに記憶されている画面ＩＤに対応付けられた画像データを選択して取得する。この例では、ＲＡＭ４５Ｂには画面ＩＤとして「０３」が記憶されているため、この画面ＩＤ「０３」と対応付けられた１ページ目の画像データが取得される。なお、駆動制御回路４１Ｂには画像データが１つしか供給されないため、画像データを転送する必要はない。このようにして、駆動制御回路３１および４１は、マスタ表示装置１０のＣＰＵ１５から自装置宛に送信されてきた画像データを取得する。
【００３２】
画像データを取得すると、マスタ表示装置１０の駆動制御回路３１は、取得した画像データを駆動回路１９に供給する。駆動回路１９は、駆動制御回路３１から供給された画像データに応じて記憶性表示体１１の表示素子を駆動し、その画像データに応じた画像を表示させる（ステップＳＡ３０）。これにより、記憶性表示体１１には３ページ目の画像が表示される。また、スレーブ表示装置２０の駆動制御回路４１Ａ、４１Ｂは、それぞれ画像データを取得すると、正常に画像データが送信されたことを表すＡＣＫ信号を返信する（ステップＳＡ４０）。続いて、駆動制御回路４１Ａ、４１Ｂは、それぞれ取得した画像データを自回路に接続された駆動回路２５に供給する。駆動回路２５Ａ、２５Ｂは、それぞれ駆動制御回路４１から供給された画像データに応じて自回路に接続された記憶性表示体２１の表示素子を駆動し、その画像データに応じた画像を表示させる（ステップＳＡ５０）。これにより、記憶性表示体２１Ａには２ページ目の画像が表示され、記憶性表示体２１Ｂには１ページ目の画像が表示される。
【００３３】
続いて、マスタ表示装置１０のＣＰＵ１５は、ＲＡＭ１７に記憶されている画面管理情報に、対応する画像データの画像が表示されている記憶性表示体の画面ＩＤを書き込む（ステップＳＡ６０）。
図１５は、装置ＩＤが書き込まれた画面管理情報Ｉ１〜Ｉ３を示す図である。図中の画面管理情報Ｉ１は、１ページ目の画像データに対応する画面管理情報であり、画面管理情報Ｉ２は、２ページ目の画像データに対応する画面管理情報であり、画面管理情報Ｉ３は、３ページ目の画像データに対応する画面管理情報である。図に示すように、画面管理情報Ｉ１の「ｉｎｔ  ＩＤ；」には、１ページ目の画像を表示する表示装置２０Ｂの画面ＩＤ「０３」が記述されている。同様に、画面管理情報Ｉ２の「ｉｎｔ  ＩＤ；」には、２ページ目の画像を表示する表示装置２０Ａの画面ＩＤ「０２」が記述されており、画面管理情報Ｉ３の「ｉｎｔ  ＩＤ；」には、３ページ目の画像を表示するマスタ表示装置１０の画面ＩＤ「０１」が記述されている。つまり、この画面管理情報Ｉ１〜Ｉ３は、マスタ表示装置１０及びスレーブ表示装置２０の各々に割り当てられた画面ＩＤと、各々の表示装置に表示する画像の画像データとの対応関係を表すものである。ＣＰＵ１５は、この画面管理情報Ｉ１〜Ｉ３を参照することにより、どの表示装置がどの画像を表示しているかを把握することができる。
【００３４】
（画面移動処理の概略）
次に、表示装置の画面を移動させる画面移動処理について説明する。ここでは、まず画面移動処理の概略を説明してから、具体例をいくつか挙げて画面移動処理の内容を詳細に説明する。
【００３５】
図１６は、画面移動処理の概略を示すフロー図である。操作者によって表示装置のタッチパネルが操作されると、マスタ表示装置１０のＣＰＵ１５は、その操作内容を表す操作信号を取得する（ステップＳＢ１０）。例えば、マスタ表示装置１０のタッチパネル１１ｔが操作された場合、タッチセンサ３２は、上述したように、タッチパネル１１ｔから出力された接触信号に基づいてタッチパネル１１ｔが接触された位置を表す操作信号を出力する。この操作信号は、Ａ／Ｄコンバータ３３によってアナログデジタル変換された後、駆動制御回路３１によってＲＡＭ３５に記憶されている画面ＩＤとともにＣＰＵ１５に供給される。一方、スレーブ表示装置２０のタッチパネル２１ｔが操作された場合、タッチセンサ４２は、上述したように、タッチパネル２１ｔから出力された接触信号に基づいてタッチパネル２１ｔが接触された位置を表す操作信号を出力する。この操作信号は、Ａ／Ｄコンバータ４３によってアナログデジタル変換された後、駆動制御回路４１によってＲＡＭ４５に記憶されている画面ＩＤとともに送信アンテナ部２２に供給される。そして、この操作信号は、スレーブ表示装置２０の送信アンテナ部２２からマスタ表示装置１０の受信アンテナ部１２ａへと送信され、受信アンテナ部１２ａによってＣＰＵ１５に供給される。
【００３６】
続いて、ＣＰＵ１５は、取得した操作信号に基づいて、その操作信号が表す位置座標の変化パターンや勾配などを計算し、操作者の操作内容を判別する（ステップＳＢ２０）。すなわち、ＣＰＵ１５は、自装置又はスレーブ表示装置２０のタッチパネルから出力された操作信号を取得し、取得した操作信号に基づいて操作者の操作内容を判別する操作内容判別手段として機能する。続いて、ＣＰＵ１５は、ＲＯＭ１６に記憶されている画面移動処理特定テーブルＴを参照して、判別した操作内容に対応する画面移動処理を特定し（ステップＳＢ３０）、特定した画面移動処理を実行する（ステップＳＢ４０）。この画面移動処理では、ステップＳＢ２０にて判別された操作者の操作内容に応じて、ＲＡＭ１７に記憶されている画面管理情報が書き換えられる。上述したように、画面管理情報は、マスタ表示装置１０及びスレーブ表示装置２０の各々に割り当てられた画面ＩＤと、各々の表示装置に表示する画面の画像データとの対応関係を表したものである。したがって、ＣＰＵ１５は、ステップＳＢ２０において判別した操作内容に応じて、ＲＡＭ１７に記憶されている対応関係（画面管理情報）を変更してＲＡＭ１７に記憶させる対応関係変更手段として機能する。
【００３７】
（画面入れ替え処理）
次に、画面移動処理の一例である画面入れ替え処理について説明する。表示装置の画面を入れ替えたい場合、操作者は、一方の記憶性表示体上のタッチパネルと、他方の記憶性表示体上のタッチパネルのそれぞれを交互または同時に指先などで指定するタップ操作を行う。
【００３８】
図１７は、３ページ目の画像が表示されたマスタ表示装置１０のタッチパネル１１ｔと、１ページ目の画像が表示されたスレーブ表示装置２０Ｂのタッチパネル２１ｔＢとが順にタップされたときの処理を説明する図である。この場合、上述したステップＳＢ１０では、スレーブ表示装置２０Ｂのタッチセンサ４２Ｂから出力されて、画面ＩＤ「０３」が対応付けられた操作信号と、マスタ表示装置１０のタッチセンサ３２から出力されて、画面ＩＤ「０１」が対応付けられた操作信号とが取得される。続いて、上述したステップＳＢ２０では、図８に示した画面移動処理特定テーブルＴが参照され、「２回タップ」の操作が操作者の操作内容として判別される。続いて、ステップＳＢ３０では、この画面移動処理特定テーブルＴにおいて、「２回タップ」の操作に対応付けられた「画面入れ替え処理」が特定される。
【００３９】
図１８は、画像入れ替え処理を示すシーケンス図である。まず、マスタ表示装置１０のＣＰＵ１５は、ＲＡＭ１７に記憶されている画面管理情報のうち、操作者による操作が行われたスレーブ表示装置２０Ｂの画面ＩＤ「０３」を含む画面管理情報と、マスタ表示装置１０の画面ＩＤ「０１」を含む画面管理情報とを特定する。この例では、ＲＡＭ１７には図１５に示した画面管理情報Ｉ１〜Ｉ３が記憶されているため、画面ＩＤとして「０３」が記述されている画面管理情報Ｉ１と、画面ＩＤとして「０１」が記述されている画面管理情報Ｉ３とが特定される。そして、ＣＰＵ１５は、特定した画面管理情報Ｉ１の画面ＩＤと、画面管理情報Ｉ３の画面ＩＤとを入れ替える（ステップＳＢ１１０）。この例では、図１５に示した画面管理情報Ｉ１に含まれる画面ＩＤ「０３」と、画面管理情報Ｉ３に含まれる画面ＩＤ「０１」とが入れ替えられる。
【００４０】
上述したように、画面管理情報Ｉ１は、スレーブ表示装置２０Ｂの記憶性表示体２１Ｂに表示されている１ページ目の画像の画像データに対応しており、画面管理情報Ｉ３は、マスタ表示装置１０の記憶性表示体１１に表示されている３ページ目の画像の画像データに対応している。すなわち、ＣＰＵ１５は、ステップＳＢ２０において判別された操作内容が、一方の表示装置と他方の表示装置のそれぞれを交互または同時に指定する操作であった場合には、ＲＡＭ１７に記憶されている対応関係（画面管理情報）の変更前に他方の表示装置の画面ＩＤに対応付けられていた画像データと、一方の表示装置の画面ＩＤとが対応するとともに、その対応関係の変更前に一方の表示装置の画面ＩＤに対応付けられていた画像データと、他方の表示装置の画面ＩＤとが対応するように、対応関係を変更する対応関係変更手段として機能する。
【００４１】
続いて、ＣＰＵ１５は、画面ＩＤが入れ替えられた画面管理情報に基づいて、画像データの送信を行う（ステップＳＢ１２０）。具体的に説明すると、ＣＰＵ１５は、まず図１５に示した画面管理情報Ｉ１に記述されている先頭アドレス「０ｘＸＸＸＸ  ａａａａ」が表すＲＡＭ１７の記憶領域から１ページ目の画像データを読み出すとともに、画面管理情報Ｉ３に記述されている先頭アドレス「０ｘＸＸＸＸ  ｃｃｃｃ」が表すＲＡＭ１７の記憶領域から３ページ目の画像データを読み出す。続いて、ＣＰＵ１５は、画面管理情報Ｉ１に記述されている画面ＩＤ「０１」と１ページ目の画像データ、画面管理情報Ｉ３に記述されている画面ＩＤ「０３」と３ページ目の画像データとを対応付けて、駆動制御回路３１に供給する。この場合、１ページ目の画像データは、上述と同様にして、画面ＩＤとして「０１」が記憶されている駆動制御回路３１によって取得される。また、３ページ目の画像データは、画面ＩＤとして「０３」が記憶されている駆動制御回路４５Ｂによって取得される。
【００４２】
すなわち、マスタ表示装置１０の送信アンテナ部１２とＣＰＵ１５乃至制御回路１８とは協働して、スレーブ表示装置２０に電力を供給するとともに、ＲＡＭ１７によりスレーブ表示装置２０の画面ＩＤと対応付けられている画像データをそのスレーブ表示装置２０宛に送信することになる。また、スレーブ表示装置２０の受信アンテナ部２３と制御回路２４とは協働して、マスタ表示装置１０の送信アンテナ部１２から供給された電力を受け取り、受け取った電力を用いて、自装置宛に送信されてきた画像データを受信することになる。
【００４３】
画像データを取得すると、マスタ表示装置１０の駆動制御回路３１は、取得した画像データを駆動回路１９に供給する。駆動回路１９は、駆動制御回路３１から供給された画像データに応じて記憶性表示体１１の表示素子を駆動し、その画像データに応じた画像を表示させる（ステップＳＢ１３０）。すなわち、駆動回路１９は、記憶性表示体１１の表示素子を駆動して、ＲＡＭ１７により自装置の画面ＩＤと対応付けられている画像データに応じた画像を表示させることになる。これにより、記憶性表示体１１には、図１７に示すように３ページ目の画像に代えて１ページ目の画像が表示される。
【００４４】
また、スレーブ表示装置２０Ｂの駆動制御回路４１Ｂは、画像データを取得すると、正常に画像データが送信されたことを表すＡＣＫ信号を返信する（ステップＳＢ１４０）。続いて、駆動制御回路４１Ｂは、取得した画像データを駆動回路２５Ｂに供給する。駆動回路２５Ｂは、駆動制御回路４１Ｂから供給された画像データに応じて記憶性表示体２１Ｂの表示素子を駆動し、その画像データに応じた画像を表示させる（ステップＳＢ１５０）。すなわち駆動回路２５は、受信アンテナ部２３が受け取った電力を用いて自装置の記憶性表示体２１の表示素子を駆動し、その受信アンテナ部２３によって受信された画像データに応じた画像を記憶性表示体２１に表示させることになる。これにより、記憶性表示体２１Ｂには、図１７に示すように、１ページ目の画像に代えて３ページ目の画像が表示される。これを操作者から見ると、マスタ表示装置１０の画面とスレーブ表示装置２０Ｂの画面とが入れ替わったように見える。
【００４５】
（右方向の画面移動処理）
次に、画面移動処理の一例である右方向の画面移動処理について説明する。右方向に画面を移動させたい場合、操作者は、いずれかの記憶性表示体上のタッチパネルにおいて指などで指定した位置を、表示装置の配列方向と平行な方向成分を有する図３中の右方向に移動させる操作を行う。
【００４６】
図１９は、３ページ目の画像が表示されたマスタ表示装置１０のタッチパネル１１ｔにおいて指定された位置が右方向に移動されたときの処理を説明する図である。この場合、上述したステップＳＢ１０では、マスタ表示装置１０のタッチセンサ３２から出力されて、画面ＩＤ「０１」が対応付けられた操作信号が取得される。続いて、ステップＳＢ２０では、図８に示した画面移動処理特定テーブルＴが参照されて、「右方向になぞる」操作が操作者の操作内容として判別される。続いて、ステップＳＢ３０では、この画面移動処理特定テーブルＴにおいて、「右方向になぞる」操作に対応付けられた「右方向の画面移動処理」が特定される。
【００４７】
図２０は、右方向の画面移動処理を示すシーケンス図である。この場合、各々の表示装置には、図１４に示した並び列Ｌ１を図中の右方向に1つずらしたときに対応する画像が表示されることになる。したがって、ＣＰＵ１５は、まず新たに表示される４ページ目の画像を表す画像データをＲＯＭ１６から読み出して、ＲＡＭ１７に記憶させる（ステップＳＢ２１０）。続いて、ＣＰＵ１５は、４ページ目の画像データに対応する画面管理情報を作成し、記憶性表示体１１の画面ＩＤ「０１」をその画面管理情報に書き込む（ステップＳＢ２２０）。
【００４８】
続いて、ＣＰＵ１５は、２ページ目の画像データと３ページ目の画像データに対応する画面管理情報の画面ＩＤを変更する（ステップＳＢ２３０）。具体的に説明すると、この例では、ＲＡＭ１７には図１５に示した画面管理情報Ｉ１〜Ｉ３が記憶されているため、ＣＰＵ１５は、３ページ目の画像データに対応する画面管理情報Ｉ３に含まれる画面ＩＤ「０１」を、３ページ目の画像を表示しているマスタ表示装置１０の右隣にあるスレーブ表示装置２０Ａの画面ＩＤ「０２」に変更する。さらに、ＣＰＵ１５は、２ページ目の画像データに対応する画面管理情報Ｉ２に含まれる画面ＩＤ「０２」を、２ページ目の画像を表示しているスレーブ表示装置２０Ａの右隣にあるスレーブ表示装置２０Ｂの画面ＩＤ「０３」に変更する。すなわち、ＣＰＵ１５は、ステップＳＢ２０において特定された操作内容が、表示装置の記憶性表示体上において指定した位置を、表示装置の配列の方向と平行な方向成分を有する方向に移動させる操作であった場合には、ＲＡＭ１７に記憶されている対応関係（画面管理情報）の変更前に各々の表示装置の画面ＩＤに対応付けられていた画像データと、その表示装置の位置からみて指定した位置の移動方向にある隣の表示装置の画面ＩＤとが対応するとともに、その指定した位置の移動方向と逆の方向の端に配列されている表示装置の画面ＩＤと、その表示装置に表示されている画像の前又は後の表示順序の画像を表す画像データとが対応するように、対応関係を変更する対応関係変更手段として機能する。
【００４９】
続いて、ＣＰＵ１５は、画面ＩＤが追加または変更された画面管理情報に基づいて、画像データの送信を行う（ステップＳＢ２４０）。具体的に説明すると、ＣＰＵ１５は、上述と同様にして、ＲＡＭ１７に記憶されている画面管理情報の先頭アドレスが表すＲＡＭ１７の記憶領域から画像データを読み出す。この例では、２ページ目〜４ページ目の画像データが読み出される。続いて、ＣＰＵ１５は、４ページ目の画像データに対応する画面管理情報に記述されている画面ＩＤ「０１」と４ページ目の画像データ、画面管理情報Ｉ３に記述されている画面ＩＤ「０２」と３ページ目の画像データ、画面管理情報Ｉ２に記述されている画面ＩＤ「０３」と２ページ目の画像データとを対応付けて、駆動制御回路３１に供給する。この場合、４ページ目の画像データは、上述と同様にして、画面ＩＤとして「０１」が記憶されている駆動制御回路３５によって取得される。同様に、３ページ目の画像データは、画面ＩＤとして「０２」が記憶されている駆動制御回路４５Ａによって取得され、２ページ目の画像データは、画面ＩＤとして「０３」が記憶されている駆動制御回路３１Ｂによって取得される。
【００５０】
すなわち、マスタ表示装置１０の送信アンテナ部１２とＣＰＵ１５乃至制御回路１８とは協働して、スレーブ表示装置２０に電力を供給するとともに、ＲＡＭ１７によりスレーブ表示装置２０の画面ＩＤと対応付けられている画像データをそのスレーブ表示装置２０宛に送信することになる。また、スレーブ表示装置２０の受信アンテナ部２３と制御回路２４とは協働して、マスタ表示装置１０の送信アンテナ部１２から供給された電力を受け取り、受け取った電力を用いて、自装置宛に送信されてきた画像データを受信することになる。
【００５１】
画像データを取得すると、マスタ表示装置１０の駆動制御回路３１は、取得した画像データを駆動回路１９に供給する。駆動回路１９は、駆動制御回路３１から供給された画像データに応じて記憶性表示体１１の表示素子を駆動し、その画像データに応じた画像を表示させる（ステップＳＢ２５０）。すなわち、駆動回路１９は、記憶性表示体１１の表示素子を駆動して、ＲＡＭ１７により自装置の画面ＩＤと対応付けられている画像データに応じた画像を表示させることになる。これにより、記憶性表示体１１には、図１９に示すように３ページ目の画像に代えて４ページ目の画像が表示される。
【００５２】
また、スレーブ表示装置２０の駆動制御回路４１Ａ、４１Ｂは、それぞれ画像データを取得すると、正常に画像データが送信されたことを表すＡＣＫ信号を返信する（ステップＳＢ２６０）。続いて、駆動制御回路４１Ａ、４１Ｂは、それぞれ取得した画像データを自回路と接続された駆動回路２５に供給する。駆動回路２５Ａ、２５Ｂは、駆動制御回路４１から供給された画像データに応じて自回路に接続された記憶性表示体２１の表示素子を駆動し、その画像データに応じた画像を表示させる（ステップＳＢ２７０）。すなわち駆動回路２５は、受信アンテナ部２３が受け取った電力を用いて自装置の記憶性表示体２１の表示素子を駆動し、その受信アンテナ部２３によって受信された画像データに応じた画像を記憶性表示体２１に表示させることになる。これにより、記憶性表示体２１Ａには、図１９に示すように、２ページ目の画像に代えて３ページ目の画像が表示され、記憶性表示体２１Ｂには、１ページ目の画像に代えて２ページ目の画像が表示される。これを操作者から見ると、表示装置の画面が右方向に移動したように見える。
【００５３】
（左方向の画面移動処理）
次に、画面移動処理の一例である左方向の画面移動処理について説明する。左方向に画面を移動させたい場合、操作者は、いずれかの記憶性表示体上のタッチパネルにおいて指などで指定した位置を、表示装置の配列方向と平行な方向成分を有する図３中の左方向に移動させる操作を行う。この場合、上述したステップＳＢ２０では、図８に示した画面移動処理特定テーブルＴが参照されて、「左方向になぞる」操作が操作者の操作内容として判別される。続いて、ステップＳＢ３０では、この画面移動処理特定テーブルＴにおいて、「左方向になぞる」操作に対応する「左方向の画面移動処理」が特定される。
【００５４】
この場合、各々の表示装置には、図１４に示した並び列Ｌ１を図中の左方向に1つずらしたときに対応する画像が表示されることになる。したがって、ＣＰＵ１５は、上述したステップＳＢ２１０および２２０の処理を行わずに、ステップＳＢ２３０以降の処理を行う。この例では、ＲＡＭ１７には図１５に示した画面管理情報Ｉ１〜Ｉ３が記憶されているため、ステップＳＢ２３０において、ＣＰＵ１５は、１ページ目の画像データに対応する画面管理情報Ｉ１に含まれる画面ＩＤ「０３」を、１ページ目の画像を表示しているスレーブ表示装置２０Ｂの左隣にあるスレーブ表示装置２０Ａの画面ＩＤ「０２」に変更する。さらに、ＣＰＵ１５は、２ページ目の画像データに対応する画面管理情報Ｉ２に含まれる画面ＩＤ「０２」を、２ページ目の画像を表示しているスレーブ表示装置２０Ａの左隣にあるマスタ表示装置１０の画面ＩＤ「０１」に変更する。
【００５５】
これにより、マスタ表示装置１０の記憶性表示体１１には、３ページ目の画像に代えて２ページ目の画像が表示される。また、スレーブ表示装置２０Ａの記憶性表示体２１Ａには、２ページ目の画像に代えて１ページ目の画像が表示される。なお、図１４に示したように、並び列Ｌ１を図中の左方向に1つずらしたときにスレーブ表示装置２０Ｂに対応する画像はなくなるため、スレーブ表示装置２０Ｂの記憶性表示体２１Ｂには、１ページ目の画像に代えて背景画像が表示される。あるいは、記憶性表示体２１Ｂには、画像が表示されなくてもよい。これを操作者から見ると、表示装置の画面が左方向に移動したように見える。
【００５６】
（集約画像の表示処理）
次に、画面移動処理の一例である集約画像の表示処理について説明する。各表示装置の画面のサムネイルである集約画像を表示させたい場合、操作者は、いずれかの記憶性表示体上のタッチパネルにおいて指先などで指定した位置を、時計回りの方向に円を描くように移動させる操作を行う。
【００５７】
図２１は、２ページ目の画像が表示された記憶性表示体２１Ａ上のタッチパネル２１ｔＡにおいて指定された位置が時計回りの方向に円を描くように移動されたときの処理を説明する図である。この場合、上述したステップＳＢ１０では、スレーブ表示装置２０Ａのタッチセンサ４２から出力され、画面ＩＤ「０２」が対応付けられた操作信号が取得される。続いて、ステップＳＢ２０では、図８に示した画面移動処理特定テーブルＴが参照され、「時計回りに円を描く」操作が操作者の操作内容として判別される。続いて、ステップＳＢ３０では、この画面移動処理特定テーブルＴにおいて、「時計回りに円を描く」操作に対応付けられた「集約画像の表示処理」が特定される。
【００５８】
図２２は、集約画像の表示処理を示すシーケンス図である。まず、マスタ表示装置１０のＣＰＵ１５は、ＲＡＭ１７に１画面分の画像データを記憶するための記憶領域を確保する。続いて、ＣＰＵ１５は、ＲＡＭ１７に記憶されている画面管理情報を参照して、各々の表示装置に表示されている画像を表す画像データを読み出す。この例では、ＲＡＭ１７には図１５に示した画面管理情報Ｉ１〜Ｉ３が記憶されているため、１ページ目〜３ページ目の画像データが読み出される。続いて、ＣＰＵ１５は、読み出した画像データに基づいて、各々の表示装置に表示されている画像を縮小して１画面分に集約した集約画像を表す集約画像データを作成する（ステップＳＢ３１０）。そして、ＣＰＵ１５は、作成した集約画像データをＲＡＭ１７の確保していた記憶領域に記憶させる。すなわち、ＣＰＵ１５は、ステップＳＢ２０において判別された操作内容が、表示装置の記憶性表示体上において指定した位置を所定の方向に移動させる操作であった場合には、各々の表示装置の画面ＩＤに対応付けられてＲＡＭ１７の画面管理情報に記憶された画像データが表す画像を集めて、いずれか１つの表示装置の記憶性表示体が表示し得る集約画像を表す集約画像データを作成する集約画像データ作成手段として機能する。このとき、画像の縮小は、線形法やバイキュービック法などの公知の方法を利用して行われる。
【００５９】
続いて、ＣＰＵ１５は、集約画像データに対応する画面管理情報を作成し、操作者による操作が行われた表示装置２０Ａの画面ＩＤ「０２」をその画面管理情報に書き込む（ステップＳＢ３２０）。なお、この場合、ＲＡＭ１７には、図１５に示した画面管理情報Ｉ１〜Ｉ３も記憶されているから、ＣＰＵ１５は、ステップＳＢ３１０において作成された集約画像データと、操作が行われた記憶性表示体を有する表示装置の画面ＩＤとが対応するよう、ＲＡＭ１７に記憶されている対応関係（画面管理情報）を変更するとともに、集約画像データが表す集約画像に含まれる各画像を表す画像データと、操作が行われたときにその画像データが表す画像を表示していた表示装置の画面ＩＤとを対応付けてＲＡＭ１７に記憶させる対応関係変更手段として機能する。
【００６０】
また、この場合、集約画像データに対応する画面管理情報には、集約画像データであることを表すステータスフラグが記述される。
図２３は、集約画像データに記述されるステータスフラグＦを示す図である。このステータスフラグＦの先頭には、集約画像データであることを表す「ＳＵＭ」という集約状態フラグビットがセットされている。
【００６１】
続いて、ＣＰＵ１５は、集約画像データの画面管理情報に基づいて、集約画像データの送信を行う（ステップＳＢ３３０）。具体的に説明すると、ＣＰＵ１５は、まず集約画像データの画面管理情報に記述されている先頭アドレスが表すＲＡＭ１７の記憶領域から集約画像データを読み出す。続いて、ＣＰＵ１５は、その画面管理情報に記述されている画面ＩＤ「０２」と集約画像データとを対応付けて、駆動制御回路３１に供給する。この場合、集約画像データは、上述と同様にして、画面ＩＤとして「０２」が記憶されている駆動制御回路４１Ａによって取得される。
【００６２】
すなわち、マスタ表示装置１０の送信アンテナ部１２とＣＰＵ１５乃至制御回路１８とは協働して、スレーブ表示装置２０に電力を供給するとともに、ＲＡＭ１７によりスレーブ表示装置２０の画面ＩＤと対応付けられている画像データをそのスレーブ表示装置２０宛に送信することになる。また、スレーブ表示装置２０の受信アンテナ部２３と制御回路２４とは協働して、マスタ表示装置１０の送信アンテナ部１２から供給された電力を受け取り、受け取った電力を用いて、自装置宛に送信されてきた画像データを受信することになる。
【００６３】
スレーブ表示装置２０Ａの駆動制御回路４１Ａは、画像データを取得すると、正常に画像データが送信されたことを表すＡＣＫ信号を返信する（ステップＳＢ３４０）。続いて、駆動制御回路４１Ａは、取得した画像データを駆動回路２５Ａに供給する。駆動回路２５Ａは、駆動制御回路４１Ａから供給された画像データに応じて記憶性表示体２１Ａの表示素子を駆動し、その画像データに応じた画像を表示させる（ステップＳＢ３５０）。すなわち駆動回路２５は、受信アンテナ部２３が受け取った電力を用いて自装置の記憶性表示体２１の表示素子を駆動し、その受信アンテナ部２３によって受信された画像データに応じた画像を記憶性表示体２１に表示させることになる。これにより、記憶性表示体２１Ａには、図２１に示すように、２ページ目の画像に代えて、１ページ目〜３ページ目の画像が集約された集約画像が表示される。操作者は、この集約画像を見ることにより、各々の表示装置に分散して表示されていた画像をまとめて確認することができる。
【００６４】
（集約画像の分散表示処理）
次に、画面移動処理の一例である集約画像の分散表示処理について説明する。図２１に示したような集約画像が表示されているときに、その集約画像を各ページの画像に戻して表示させたい場合、操作者は、いずれかの記憶性表示体上のタッチパネルにおいて指などで指定した位置を、反時計回りの方向に円を描くように移動させる操作を行う。
【００６５】
図２４は、２ページ目の画像が表示された記憶性表示体２１Ａ上のタッチパネル２１ｔにおいて指定された位置が反時計回りの方向に円を描くように移動させられたときの処理を説明する図である。この場合、上述したステップＳＢ１０では、スレーブ表示装置２０Ａのタッチセンサ４２から出力され、画面ＩＤ「０２」が対応付けられた操作信号が取得される。続いて、ステップＳＢ２０では、図８に示した画面移動処理特定テーブルＴが参照され、「反時計回りに円を描く」操作が操作者の操作内容として判別される。続いて、ステップＳＢ３０では、この画面移動処理特定テーブルＴにおいて、「反時計回りに円を描く」操作に対応付けられた「集約画像の分散表示処理」が特定される。
【００６６】
図２５は、集約画像の分散表示処理を示すシーケンス図である。まず、マスタ表示装置１０のＣＰＵ１５は、集約画像データであることを表すというステータスフラグが記述された画面管理情報があるか否かに基づいて、集約画像が表示されているか否かを判定する（ステップＳＢ４１０）。ステータスフラグに集約状態フラグビットである「ＳＵＭ」を含む画面管理情報がなかった場合、ＣＰＵ１５は、集約画像が表示されていないと判定し（ステップＳＢ４１０：ＮＯ）、この処理を終了する。一方、ステータスフラグに「ＳＵＭ」を含む画面管理情報があった場合、ＣＰＵ１５は、集約画像が表示されていると判定し（ステップＳＢ４１０：ＹＥＳ）、次の処理に進む。
【００６７】
続いて、ＣＰＵ１５は、集約画像データと、集約画像データの画面管理情報とをＲＡＭ１７から削除し、それらが記憶されていた記憶領域を解放する（ステップＳＢ４２０）。すなわち、ＣＰＵ１５は、いずれか１つの表示装置に集約画像が表示されているときに、ステップＳＢ２０において判別された操作内容が、表示装置の記憶性表示体上において指定した位置を所定の方向に移動させる操作であった場合には、ＲＡＭ１７に記憶されている集約画像データと、その集約画像データに対応付けられた画面ＩＤ（画面管理情報）とを削除する対応関係変更手段として機能する。
【００６８】
続いて、ＣＰＵ１５は、ＲＡＭ１７に記憶されている画面管理情報に基づいて、画像データの送信を行う（ステップＳＢ４３０）。上述したステップＳＢ４２０では、集約画像データに対応する画面管理情報が削除されているため、ＲＡＭ１７には、集約画像が表示される前に記憶性表示体に表示されていた１ページ目〜３ページ目の画像の画像データに対応する画面管理情報Ｉ１〜Ｉ３のみが記憶されていることになる。したがって、ＣＰＵ１５は、図１５に示した画面管理情報Ｉ３に含まれる画面ＩＤ「０１」と３ページ目の画像データ、画面管理情報Ｉ２に含まれる画面ＩＤ「０２」と２ページ目の画像データ、画面管理情報Ｉ１に含まれる画面ＩＤ「０３」と１ページ目の画像データとを対応付けて、駆動制御回路３１に供給する。この場合、３ページ目の画像データは、上述と同様にして、画面ＩＤとして「０１」が記憶されている駆動制御回路３１によって取得される。同様に、２ページ目の画像データは、画面ＩＤとして「０２」が記憶されている駆動制御回路４１Ａによって取得され、１ページ目の画像データは、画面ＩＤとして「０３」が記憶されている駆動制御回路４１Ｂによって取得される。
【００６９】
すなわち、マスタ表示装置１０の送信アンテナ部１２とＣＰＵ１５乃至制御回路１８とは協働して、スレーブ表示装置２０に電力を供給するとともに、ＲＡＭ１７によりスレーブ表示装置２０の画面ＩＤと対応付けられている画像データをそのスレーブ表示装置２０宛に送信することになる。また、スレーブ表示装置２０の受信アンテナ部２３と制御回路２４とは協働して、マスタ表示装置１０の送信アンテナ部１２から供給された電力を受け取り、受け取った電力を用いて、自装置宛に送信されてきた画像データを受信することになる。
【００７０】
画像データを取得すると、マスタ表示装置１０の駆動制御回路３１は、取得した画像データを駆動回路１９に供給する。駆動回路１９は、駆動制御回路３１から供給された画像データに応じて記憶性表示体１１の表示素子を駆動し、その画像データに応じた画像を表示させる（ステップＳＢ４４０）。すなわち、駆動回路１９は、記憶性表示体１１の表示素子を駆動して、ＲＡＭ１７により自装置の画面ＩＤと対応付けられている画像データに応じた画像を表示させることになる。これにより、記憶性表示体１１には、図２４に示すように３ページ目の画像が表示される。
【００７１】
また、スレーブ表示装置２０の駆動制御回路４１Ａ、４１Ｂは、それぞれ画像データを取得すると、正常に画像データが送信されたことを表すＡＣＫ信号を返信する（ステップＳＢ４５０）。続いて、駆動制御回路４１Ａ、４１Ｂは、それぞれ取得した画像データを自回路と接続された駆動回路２５に供給する。駆動回路２５Ａ、２５Ｂは、それぞれ駆動制御回路４１から供給された画像データに応じて自回路に接続された記憶性表示体２１の表示素子を駆動し、その画像データに応じた画像を表示させる（ステップＳＢ４６０）。すなわち駆動回路２５は、受信アンテナ部２３が受け取った電力を用いて自装置の記憶性表示体２１の表示素子を駆動し、その受信アンテナ部２３によって受信された画像データに応じた画像を記憶性表示体２１に表示させることになる。これにより、記憶性表示体２１Ａには、図２４に示すように、集約画像に代えて２ページ目の画像が表示され、記憶性表示体２１Ｂには、１ページ目の画像が表示される。これを操作者から見ると、各表示装置の画面が集約画像の表示される前の状態に戻ったように見える。
【００７２】
以上説明した実施形態によれば、操作者の操作に応じて複数の表示装置の表示内容を連携して変更することができる。
また、マスタ表示装置１０には、各々の表示装置に割り当てられた識別情報と画像データとの対応関係を記憶する記憶手段や、操作者の操作内容を判別する操作判別手段及び記憶手段の対応関係を変更する対応関係変更手段としてのＣＰＵ１５といった各構成が実装されているのに対し、スレーブ表示装置２０にはこれらの構成が実装されていない。さらに、マスタ表示装置１０及び複数のスレーブ表示装置２０の表示手段となる記憶性表示体１１、２１は、電力供給が無くても、画像を表示し続けることができるので、マスタ表示装置１０が備える電源として、省電力に見あった小型のものを採用することができる。よって、マスタ表示装置１０及び複数のスレーブ表示装置２０からなるシステム全体では構成が簡易になり、軽量化に寄与する。
【００７３】
［変形例］
以上が実施形態の説明であるが、この実施形態の内容は以下のように変形し得る。また、以下の変形例を適宜組み合わせてもよい。
（変形例１）
上述した実施形態において、マスタ表示装置１０のＣＰＵ１５による処理は、プログラムに従って行われていた。これに対し、マスタ表示装置１０にハードウェア回路を設け、このハードウェア回路がＣＰＵ１５に代わって上述した処理を行ってもよい。また、ＣＰＵ１５とハードウェア回路とが分担して、上述した処理を行ってもよい。
【００７４】
（変形例２）
上述した実施形態において、マスタ表示装置１０とスレーブ表示装置２０とは、非接触で電力及びデータの授受を行っていたが、例えばお互いが導電端子を備えておき、これらを接触させて電力及びデータの授受を行ってもよい。この導電端子も、表示装置が移動可能な方向に長手方向を有する形状であることが望ましい。
また、マスタ表示装置１０とスレーブ表示装置２０とを複数の導線が束ねられたフラットケーブルなどで接続し、有線で電力及びデータの授受が行われてもよい。
【００７５】
（変形例３）
上述した実施形態では、操作者によってタッチパネルが操作される例を挙げて説明したが、これに限らない。例えば、マスタ表示装置１０及びスレーブ表示装置２０に操作者の操作を受け付ける操作子が設けられている場合には、タッチパネルに代えてこの操作子が操作されてもよい。この場合、マスタ表示装置１０のＣＰＵ１５は、操作子を用いて、一方の記憶性表示体と他方の記憶性表示体のそれぞれを交互または同時に指定する操作が行われた場合には、操作者の操作内容を「２回タップ」の操作として判別する。また、ＣＰＵ１５は、操作子を用いて、いずれかの記憶性表示体上において指定した位置を、表示装置の配列方向と平行な方向成分を有する図３中のＲ方向に移動させる操作が行われた場合には、操作者の操作内容を「右方向になぞる」の操作として判別し、いずれかの記憶性表示体上において指定した位置を、表示装置の配列方向と平行な方向成分を有する図３中のＬ方向に移動させる操作が行われた場合には、操作者の操作内容を「左方向になぞる」操作として判別する。同様に、ＣＰＵ１５は、操作子を用いて、いずれかの記憶性表示体上において指定した位置を、時計回りの方向に円を描くように移動させる操作が行われた場合には、操作者の操作内容を「時計回りに円を描く」操作として判別し、いずれかの記憶性表示体上において指定した位置を、反時計回りの方向に円を描くように移動させる操作が行われた場合には、操作者の操作内容を「反時計回りに円を描く」操作として判別する。
【００７６】
（変形例４）
上述した実施形態では、画面管理情報がプログラム形式で記述されている例を挙げて説明したが、画面管理情報の記述形式はこれに限らない。例えば、画面管理情報がテーブル形式で記述されていてもよい。要するに、マスタ表示装置１０及びスレーブ表示装置２０の各々に割り当てられた画面ＩＤと、各々の表示装置に表示する画像の画像データとの対応関係が記憶されていればよい。
また、実施形態では、表示手段である記憶性表示体１１、２１に割り当てられた画面ＩＤと画像データとを対応付けていた。実施形態のように各表示装置が表示手段を１つずつ備えている場合には、この画面ＩＤは、各表示装置に割り当てられた識別情報に等しい。また、表示装置が複数の表示手段を備えている場合には、その表示装置は、各表示手段に対応した複数の表示装置によって構成されていると考えればよい。よってこの場合も、各表示手段に割り当てられた画面ＩＤは、各表示装置に割り当てられた識別情報に等しい。
【００７７】
（変形例５）
上述した実施形態では、図３（ｂ）や図３（ｃ）に示したように、スレーブ表示装置２０の表示面がマスタ表示装置１０又は他のスレーブ表示装置２０と完全に重なっていない状態を例に挙げて、スレーブ表示装置２０が開かれた状態を説明したが、これに限らない。例えば、スレーブ表示装置２０の表示面が半分だけ他の表示装置と重なった状態であってもよい。図１０に示すように、送信アンテナ部１２、２２はスレーブ表示装置２０の移動方向に延びているため、スレーブ表示装置２０が完全に開かれた状態にならなくても、スレーブ表示装置２０の受信アンテナ部２３とマスタ表示装置１０の送信アンテナ部１２または他のスレーブ表示装置２０の送信アンテナ部２２とが重なる状態になる。この場合には、スレーブ表示装置２０は上述した実施形態の処理を行うことができるため、スレーブ表示装置２０が完全に開かれた状態でなくてもよいのである。本発明の「第２の位置」とは、このような位置をも含むものである。このように、スレーブ表示装置２０が、図３（ｂ）や図３（ｃ）に示したように、完全に引き出されていないうちに、上述した実施形態の処理が開始されることにより、スレーブ表示装置２０が引き出されてから記憶性表示体２１に画像が表示されるまでの時間を短くすることができる。
【００７８】
（変形例６）
上述した実施形態において、集約画像を表示させたい場合、操作者は、いずれかの記憶性表示体上のタッチパネルにおいて指先などで指定した位置を時計回りの方向に円を描くように移動させる操作を行っていたが、集約画像を表示させる指示を行う操作はこれに限らない。例えば、いずれかのタッチパネルにおいて指定した位置を表示装置の長手方向に移動させる操作であってもよい。要するに、集約画像を表示させる指示を行う操作は、記憶性表示体上において指定した位置を所定の方向に移動させる操作であればよい。同様に、集約画像を分散させて表示させる指示を行う操作も、記憶性表示体上において指定した位置を所定の方向に移動させる操作であればよい。ただし、この場合には、集約画像を表示させる指示を行う操作と、集約画像を分散させて表示させる指示を行う操作とが異なる必要がある。
【００７９】
（変形例７）
上述した実施形態において、マスタ表示装置１０のＣＰＵ１５によって実行される各プログラムは、磁気テープや磁気ディスクなどの磁気記録媒体、光ディスクなどの光記録媒体、光磁気記録媒体、半導体メモリなどの、コンピュータ装置が読み取り可能な記録媒体に記憶された状態で提供し得る。また、このプログラムを、インターネットのようなネットワーク経由でダウンロードさせることも可能である。
【図面の簡単な説明】
【００８０】
【図１】本実施形態に係る表示システムの外観を示す斜視図である。
【図２】上記表示システムの側面図である。
【図３】上記表示システムのスレーブ表示装置が開閉する様子を示す平面図である。
【図４】上記表示システムのマスタ表示装置の外観を示す平面図である。
【図５】上記マスタ表示装置の電気的構成を示すブロック図である。
【図６】上記スレーブ表示装置の外観を示す平面図である。
【図７】上記スレーブ表示装置の電気的構成を示すブロック図である。
【図８】上記マスタ表示装置の画面移動処理特定テーブルの一例を示す図である。
【図９】各々の上記スレーブ表示装置が引き出された様子を示す平面図である
【図１０】上記スレーブ表示装置が引き出されたときの表示システムの側面図である。
【図１１】上記表示システムの表示処理を示すシーケンス図である。
【図１２】上記マスタ表示装置のＲＡＭの記憶領域を模式的に示す図である。
【図１３】上記ＲＡＭに記憶される画面管理情報のデータ構造を示す図である。
【図１４】上記表示システムにおける表示画像を決定する方法を模式的に示す図である。
【図１５】装置ＩＤが書き込まれた上記画面管理情報を示す図である。
【図１６】上記表示システムの画面移動処理の概略を示すフロー図である。
【図１７】上記表示システムの画像入れ替え処理を説明する図である。
【図１８】上記表示システムの画像入れ替え処理を示すシーケンス図である。
【図１９】上記表示システムの右方向の画面移動処理を説明する図である。
【図２０】上記表示システムの右方向の画面移動処理を示すシーケンス図である。
【図２１】上記表示システムの集約画像の表示処理を説明する図である。
【図２２】上記表示システムの集約画像の表示処理を示すシーケンス図である。
【図２３】集約画像データに記述されるステータスフラグを示す図である。
【図２４】上記表示システムの集約画像の分散表示処理を説明する図である。
【図２５】上記表示システムの集約画像の分散表示処理を示すシーケンス図である。
【符号の説明】
【００８１】
１…表示システム、１０…マスタ表示装置、１１…記憶性表示体（表示手段）、１１ｔ…タッチパネル（操作検出手段）、１２…送信アンテナ部（送信手段）、１３…受信アンテナ部、１４…電源、１５…ＣＰＵ（操作内容判別手段、対応関係変更手段、送信手段、集約画像データ作成手段）、１６…ＲＯＭ、１７…ＲＡＭ（記憶手段）、１８…制御回路（送信手段）、１９…駆動回路（第１の表示制御手段）、３１…駆動制御回路、３２…タッチセンサ（操作検出手段）、３３…Ａ／Ｄコンバータ、３５…ＲＡＭ、２０…スレーブ表示装置、２１…記憶性表示体（表示手段）、２１ｔ…タッチパネル（操作検出手段）、２２…送信アンテナ部、２３…受信アンテナ部（受信手段）、２４…制御回路（受信手段）、２５…駆動回路（第２の表示制御手段）、４１…駆動制御回路、４２…タッチセンサ（操作検出手段）、４３…Ａ／Ｄコンバータ、４５…ＲＡＭ。
【図１】
2009211547.tif 000003
【図２】
2009211547.tif 000004
【図３】
2009211547.tif 000005
【図４】
2009211547.tif 000006
【図５】
2009211547.tif 000007
【図６】
2009211547.tif 000008
【図７】
2009211547.tif 000009
【図８】
2009211547.tif 000010
【図９】
2009211547.tif 000011
【図１０】
2009211547.tif 000012
【図１１】
2009211547.tif 000013
【図１２】
2009211547.tif 000014
【図１３】
2009211547.tif 000015
【図１４】
2009211547.tif 000016
【図１５】
2009211547.tif 000017
【図１６】
2009211547.tif 000018
【図１７】
2009211547.tif 000019
【図１８】
2009211547.tif 000020
【図１９】
2009211547.tif 000021
【図２０】
2009211547.tif 000022
【図２１】
2009211547.tif 000023
【図２２】
2009211547.tif 000024
【図２３】
2009211547.tif 000025
【図２４】
2009211547.tif 000026
【図２５】
2009211547.tif 000027